(57)【要約】【課題】  光ピックアップ装置の横方向寸法を小型化すると共にコイルの端末線の断線を防止すること。【解決手段】光ディスクの記録面にレーザー光を集光するための対物レンズ１９を備えた可動部１２と、その一端側は支持基板３０に固定され、他端側は可動部１２に接続されることにより、可動部１２を支持する支持ワイヤー３５ａ〜３５ｆと、可動部１２に設けられたコイル２１ａ，２１ｂ，２２ａ，２２ｂ，２３ａ〜２３ｄとを有する光ピックアップ装置１０において、可動部１２の少なくとも一方の側面には接続基板２６が配置され、当該接続基板２６ａ，２６ｂの平面部２６ｃには、支持ワイヤー３５ａ〜３５ｆが電気的に接続されるための固定部位が設けられ、平面部２６ｃの面に対して垂直方向となる面を有する接続基板２６ａ，２６ｂの側面部２６ｄ，２６ｅにコイルの端末線２１ｃ，２１ｄ，２２ｃ，２２ｄ，２３ｅ，２３ｆを接続すること。【選択図】  図１
2006079716.tif 000002
【特許請求の範囲】
【請求項１】
光ディスクの記録面にレーザー光を集光するための対物レンズを備えた可動部と、
その一端側は支持基板に固定され、他端側は上記可動部に接続されることにより、上記可動部を支持する支持部材と、
上記可動部に設けられたコイルと、
を有する光ピックアップ装置において、
上記可動部の少なくとも一方の側面には接続基板が配置され、当該接続基板の平面部には、上記支持部材が電気的に接続されるための固定部位が設けられ、上記平面部の面に対して垂直方向となる面を有する上記接続基板の側面部にて上記コイルの端末線が接続されていることを特徴とする光ピックアップ装置。
【請求項２】
前記コイルの端末線が導電性融着材により電気的に接続されるためのコイルの端末用凹部が前記側面部に設けられ、前記固定部位と上記凹部とを介して前記支持部材と前記コイルの端末線とが電気的に接続されていることを特徴とする請求項１記載の光ピックアップ装置。
【請求項３】
前記接続基板の前記平面部には、前記支持部材が導電性融着材により電気的に接続されるための支持部材の端末用凹部が設けられ、導電可能となっている前記コイルの端末用凹部と上記支持部材の端末用凹部とを介して前記支持部材と前記コイルの端末線とが電気的に接続されていることを特徴とする請求項１または２記載の光ピックアップ装置。
【請求項４】
前記端末用凹部は、半円形、Ｖ字型、コ字型、Ｕ字型、斜面型またはＬ字型の形状から構成されていることを特徴とする請求項２または３記載の光ピックアップ装置。
【請求項５】
前記端末用凹部の内周全面にパッドが形成されていることを特徴とする請求項１から４のいずれか１項記載の光ピックアップ装置。
【発明の詳細な説明】
【技術分野】
【０００１】
本発明は、光ディスクの記録面上に対物レンズにてレーザー光を集光させて、光ディスクに記録されている情報を読み込み、または光ディスクに情報を記録させる光ディスク装置等に使用される光ピックアップ装置に関する。
【背景技術】
【０００２】
従来から、光ディスク上に記録された情報を読み込み、または光ディスク上に情報を記録させる光ディスク装置は、小型化、薄型化が求められている。このような光ディスク装置を小型化、薄型化するためには、光源から出射されたレーザー光を集光させ、光ディスク上に照射させるための対物レンズを駆動させるための光ピックアップ装置にも小型化等が求められる。
【０００３】
従来の光ピックアップ装置１００は、図１６に示すように、光ピックプアップ装置１００の可動部１０１に配置された３つの駆動コイルの端末線１０２，１０３，１０４を、可動部１０１の両側に設けられた配線基板１０５のパッド面上において導電性融着材１０６により接続している。また、配線基板１０５の平面上には可動部１０１を支持するためのサスペンションワイヤー１０７も導電性融着材１０８により他のパッド面上にて接続されている。
【０００４】
従来の光ピックアップ装置の他の例としては、特許文献１のように、４本のサスペンションワイヤーをレンズホルダ側の固定部を貫通させてレンズを保持しているものもが知られている。
【０００５】
特許文献１記載の光ピックアップ装置では、サスペンションワイヤーの一端と、対物レンズ駆動装置に配置される駆動コイルの端末とが、レンズホルダの側方に設けられた接続部材に、導電性融着材によって接着されることで電気的に接続されている。このように、サスペンションワイヤーは、導電性融着材により接続部材に接着されることで対物レンズ駆動装置を保持すると共に、駆動コイルの端末と電気的に接続されている。
【０００６】
【特許文献１】特開２００２−２７９６６１号公報（図１〜図３）
【発明の開示】
【発明が解決しようとする課題】
【０００７】
図１６に示す従来の光ピックアップ装置１００では、駆動コイルの端末線１０２，１０３，１０４およびサスペンションワイヤー１０７の一端が、導電性融着材１０６，１０８によって可動部１０１の側方に設けられた配線基板１０５の同一平面上に接着されている。そのため、駆動コイルの端末線１０２，１０３，１０４およびサスペンションワイヤー１０７を可動部１０１に接着している導電性融着材１０６，１０８と、駆動コイルの端末線１０２，１０３，１０４と、サスペンションワイヤー１０７の一端が、すべて配線基板１０５の同一平面上に配置されることとなる。
【０００８】
このため、この光ピックアップ装置１００を駆動させた場合、サスペンションワイヤー１０７が、駆動コイルの端末線１０２，１０４を接着している導電性融着材１０６と接触し、駆動異常が起こる危険が生じている。さらには、この接触が原因で、回路がショートするという問題が発生する。また、この接触を回避しようとすると、配線基板１０５に配線スペースを確保する必要性が生じ、光ピックアップ装置の大型化に繋がってしまうという問題が発生する。さらに、駆動コイルの端末線１０２，１０３，１０４の固定部の根元は大きく曲げられて固定されているため、その部分で断線しがちとなっている。
【０００９】
特許文献１記載の光ピックアップ装置は、サスペンションワイヤーがレンズホルダの固定部を貫通する構成であるため、導電性融着材とサスペンションワイヤーとの接触はある程度回避されている。しかし、サスペンションワイヤーを貫通させるための固定部の存在により、その出っ張り分だけ装置の横方向が大きくなり大型化してしまう。
【００１０】
本発明は、上記の事情にもとづきなされたもので、その目的とするところは、横方向寸法を小型化できると共に断線が生じにくい光ピックアップ装置を提供しようとするものである。
【課題を解決するための手段】
【００１１】
上記課題を解決するために、本発明は、光ディスクの記録面にレーザー光を集光するための対物レンズを備えた可動部と、その一端側は支持基板に固定され、他端側は可動部に接続されることにより、可動部を支持する支持部材と、可動部に設けられたコイルと、を有する光ピックアップ装置において、可動部の少なくとも一方の側面には接続基板が配置され、当該接続基板の平面部には、支持部材が電気的に接続されるための固定部位が設けられ、平面部の面に対して垂直方向となる面を有する接続基板の側面部にてコイルの端末線が接続されているものである。
【００１２】
このように構成した場合には、コイルの端末線を接続基板の側面である側面部にて接続することができるため、コイルの端末線を接続基板の平面部で接続する必要がなくなる。そのため、接続基板の平面部にはコイルの端末線の接触部が突出することなく、支持部材となる支持ワイヤー等の部材を接続基板に近づけることができるため、装置の横方向寸法を小さくすることが可能となる。また、この平面部から突出する部分がなくなることによりスペースが発生し、光ピックアップ装置の設計上の自由度が向上する。また、コイルの端末線は、接続基板の側面部で接続されているため、平面部で接続する場合に比べ大きく曲がる部分が少なくなり断線しづらいものとなる。
【００１３】
また、他の発明は、上述の発明に加えて更に、コイルの端末線が導電性融着材により電気的に接続されるための端末用凹部が側面部に設けられ、固定部位と端末用凹部とを介して支持部材とコイルの端末線とが電気的に接続されているものである。
【００１４】
このように構成した場合には、コイルの端末線を接続基板に接続させるための導電性融着材が接続基板の平面部に存在しなくなり、当該導電性融着材が支持部材等の他の部材と接触することがなくなる。したがって、コイルの端末線と支持部材等とがショートすることがなくなる。また、凹部が設けられているため、導電性融着材が他の部位に流れていくことを防止できると共に、コイルの端末線の位置保持が容易となり固定作業が簡単化される。
【００１５】
また、他の発明は、上述の各発明に加えて更に、接続基板の平面部には、支持部材が導電性融着材により電気的に接続されるための支持部材の端末用凹部が設けられ、導電可能となっているコイルの端末用凹部と支持部材の端末用凹部とを介して支持部材とコイルの端末線とが電気的に接続されているものである。
【００１６】
このように構成した場合には、コイルの端末線と支持部材の両者は、凹部にて接続基板に接着されることとなるため、コイルの端末線および支持部材を接続基板に接続させるための導電性融着材が接続基板の平面部に存在しなくなる。したがって、コイルの端末線を接続基板に接続させるための導電性融着材が、支持部材等と接触することを確実に防止できる。しかも、支持部材が支持部材の端末用凹部内に配置されているため、装置の横方向寸法を一層小さくすることが可能となる。
【００１７】
さらに、他の発明は、上述の発明に加えて更に、端末用凹部は、半円形、Ｖ字型、コ字型、Ｕ字型、斜面型またはＬ字型の形状から構成されている。このように構成した場合には、端末用凹部を容易に加工できると共に、コイルおよび支持部材の端末を接続基板に容易に接着できる。なお、Ｖ字型とした場合は、コイルの端末線の位置決めが特に容易となる。
【００１８】
さらに、他の発明は、上述の各発明に加えて更に、端末用凹部の内周全面にパッドが形成されているものである。
【００１９】
このように構成した場合には、コイルの端末線を接続基板に対して確実に導電可能に接続できることとなる。すなわち、端末用凹部には、軸方向長さがある程度存在するため、その全領域が導電可能な接続領域となり、確実な導電接続が可能となる。
【発明の効果】
【００２０】
本発明によると、光ピックアップ装置の横方向寸法の小型化が可能となると共にコイルの端末線の断線防止が図られる。
【発明を実施するための最良の形態】
【００２１】
以下、本発明の第１の実施の形態に係る光ピックアップ装置１０について、図１から図４に基づいて説明する。図１は、光ピックアップ装置１０の構成を示す斜視図であり、図２は図１の光ピックアップ装置１０の側面を示す図であり、（ａ）はその左側面図であり、（ｂ）は、その右側面図である。また、図３は、図１の光ピックアップ装置１０に使用される接続基板２６の斜視図であり、図４は図１において矢示Ａで示す部分の拡大図である。なお、以下の説明においては、一端側とは、図１において左斜め上方を指す。また、他端側とは図１において右斜め下方を指す。また、以下の説明において、図１における左斜め下方を左側、右斜め上方を右側という。なお、図１および図４は、導電性融着材３１，３２が注入されていない場合を示す。
【００２２】
光ピックアップ装置１０は、図１および図２に示すように、可動部１２と、支持基板３０と、支持基板３０に対して可動部１２が移動可能となるように支持する６本の支持部材となる支持ワイヤー３５ａ，３５ｂ，３５ｃ，３５ｄ，３５ｅ，３５ｆとから主に構成されている。光ピックプアップ装置１０は、光ディスク（不図示）の記録面上に、後述する対物レンズ１９で光を集光させて、光ディスクに対し情報の記録または再生を行う装置である。
【００２３】
可動部１２は、ホルダ１４を有しており、当該ホルダ１４の中央には、光ディスクの記録面上に光を集光させるための対物レンズ１９が設けられている。対物レンズ１９の両側には、可動部１２をフォーカス方向（光ディスク面に接近、離遠する方向）に移動させる２つのフォーカスコイル２１ａ，２１ｂと、可動部１２をチルト方向（図１におけるＺ−Ｚ軸を中心とした回転方向）に移動させる２つのチルトコイル２２ａ，２２ｂとがそれぞれ組み合わされて配置されている。なお、Ｚ−Ｚ軸は、可動部１２の上下、左右の中心から対物レンズ１９の光軸に対して直交し、長手方向に向かう軸である。
【００２４】
２つのフォーカスコイルの内、一方のフォーカスコイル２１ａは、ホルダ１４の左側部に巻回されることで、対物レンズ１９の左側に配置され、他方のフォーカスコイル２１ｂは、ホルダ１４の右側部に巻回されることで、対物レンズ１９の右側に配置されている。フォーカスコイル２１ａ，２１ｂは、連続した１本の導線からなり、一方の接続基板２６ａに固定される端末線２１ｃからフォーカスコイル２１ａにつながり、その後フォーカスコイル２１ｂを形成し、他方の接続基板２６ｂに接続される。フォーカスコイル２１ａ，２１ｂは、例えば対物レンズ１９の光軸の上方から見た場合で時計回り方向への巻回を正巻、反時計回り方向への巻回を逆巻とすると、共に正巻となっている。また、フォーカスコイル２１ａ，２１ｂは、その巻軸の方向が、対物レンズ１９の光軸と同方向となるように配置されている。
【００２５】
チルトコイル２２ａ，２２ｂも、フォーカスコイル２１ａ，２２ｂと同様、２つのチルトコイル２２ａ，２２ｂの内、一方のチルトコイル２２ａは、対物レンズ１９の左側部に巻回されて配置され、他方のチルトコイル２２ｂは、対物レンズ１９の右側部に巻回されて配置されている。また、チルトコイル２２ａ，２２ｂは、連続した１本の導線からなり、一方の接続基板２６ａに接続される端末線２２ｃからチルトコイル２２ａにつながり、その後、チルトコイル２２ｂにつながり、他方の接続基板２６ｂに接続される。本実施の形態では、例えばフォーカスコイル２１ａおよびフォーカスコイル２１ｂの下方にチルトコイル２２ａおよびチルトコイル２２ｂを配置するような組み合わせとしている。チルトコイル２２ａは正巻、チルトコイル２２ｂは逆巻となっており、チルトコイル２２ａとチルトコイル２２ｂは互いに逆方向に巻回されている。また、チルトコイル２２ａ，２２ｂの巻軸の方向は、フォーカスコイル２１ａ、２１ｂと同軸方向となっている。
【００２６】
ホルダ１４の他端側の側面１４ａには、可動部１２をトラッキング方向（ディスクの半径方向）に移動させるそれぞれ巻線状にされた２つのトラッキングコイル２３ａ，２３ｄが配置され、ホルダ１４の一端側の側面１４ｂにも、それぞれ巻線状にされた２つのトラッキングコイル２３ｂ，２３ｃが配置されている。４つのトラッキングコイル２３ａ，２３ｂ，２３ｃ，２３ｄは、連続した１本の導線からなっており、一方の接続基板２６ａに接続される端末線２２ｅからトラッキングコイル２３ａ，２３ｂ，２３ｃ，２３ｄにつながり、端末線２３ｆが他方の接続基板２６ｂに接続される。トラッキングコイル２３ａ，２３ｂ，２３ｃ，２３ｄの巻回方向については、トラッキングコイル２３ａ，２３ｃがそれぞれ正面から見たとき時計巻となっており、トラッキングコイル２３ｂ，２３ｄがそれぞれ正面から見たとき反時計巻となっている。
【００２７】
また、トラッキングコイル２３ａ，２３ｄからはコイルの端末線２３ｅ，２３ｆが引き出されており、トラッキングコイル２３ａ，２３ｂ，２３ｃ，２３ｄは、上述したようにトラッキングコイル２３ａからトラッキングコイル２３ｂ，２３ｃを経てトラッキングコイル２３ｄへと順次巻回されている。また、トラッキングコイル２３ａ，２３ｂ，２３ｃ，２３ｄのそれぞれの巻軸は、図１におけるＺ−Ｚ軸と同軸方向となっている。
【００２８】
ホルダ１４の左右両側には、接続基板２６ａ，２６ｂが取り付けられている。接続基板２６ａは、図３に示すように、平面形状が長方形の基板となっており、接続基板２６ａの基板面に相当する平面部２６ｃに対して垂直方向となる面２６ｄ，２６ｅ，２６ｆ，２６ｇのうち、図３において左右の側面に相当する２つの側面部２６ｄ，２６ｅには半円状に切り欠かれた形状となる合計３つの側面端子２７ａ，２７ｂ，２７ｃが２つの側面部２６ｄ，２６ｅに分離して設けられている。なお、接続基板２６ｂは接続基板２６ａと対称形状とされ、その詳細は後述する。各側面端子２７ａ，２７ｂ，２７ｃは、凹形状の内周面全体に導電用のパッドが形成されることで導電端子とされている。
【００２９】
また、接続基板２６ａの平面部２６ｃの略中央には、３つの平面固定部２８ａ，２８ｂ，２８ｃが、側面部２６ｆから側面部２６ｇにかけて並んで設けられており、側面端子２７ａと平面固定部２８ａ、側面端子２７ｂと平面固定部２８ｂおよび側面端子２７ｃと平面固定部２８ｃは、それぞれランド２９ａ，２９ｂ，２９ｃにより導電可能に接続されている。
【００３０】
なお、図１におけるホルダ１４の左側の側面（以下、左側面という。）には、図３に示す接続基板２６ａが上下方向そのままの状態で取り付けられており（図２（ａ）参照）、図１におけるホルダ１４の右側の側面（以下、右側面という。）には、図３に示す接続基板２６ａを上下逆にした状態で取り付けられ、接続基板２６ｂとされている（図２（ｂ）参照）。
【００３１】
可動部１２に配置されるフォーカスコイル２１ａの端末線２１ｃは、ホルダ１４の左側面に取り付けられた接続基板２６ａの側面端子２７ａに導電性融着材３１によって導電可能に接続されており、チルトコイル２２ａの端末線２２ｃは、接続基板２６ａの側面端子２７ｃに導電性融着材３１によって導電可能に接続されている。また、トラッキングコイル２３ａの端末線２３ｅは、接続基板２６ａの側面端子２７ｂに導電性融着材３１によって導電可能に接続されている。本実施の形態では、導電性融着材３１として半田が用いられている。
【００３２】
また、フォーカスコイル２１ｂの端末線２１ｄ、チルトコイル２２ｂの端末線２２ｄおよびトラッキングコイル２３ｄの端末線２３ｆも、接続基板２６ａへの接続の場合と同様に、ホルダ１４の右側面に取り付けられた接続基板２６ｂに接続されている。
【００３３】
また、それぞれのコイルの端末線２１ｃ，２１ｄ，２２ｃ，２２ｄ，２３ｅ，２３ｆは、側面端子２７ａ，２７ｃ，２７ｃ，２７ａ，２７ｂ，２７ｂに、導電性融着材３１が、各側面端子２７ａ，２７ｃ，２７ｃ，２７ａ，２７ｂ，２７ｂの凹部から突出しないように接続されているので、接続基板２６ａ，２６ｂの平面部２６ｃに半田が延在することはない。
【００３４】
６本の支持ワイヤー３５ａ，３５ｂ，３５ｃ，３５ｄ，３５ｅ，３５ｆは、導電性を有するワイヤーであり、可動部１２の弾性的保持と、支持基板３０および接続基板２６ａ，２６ｂの間の電気的接続を行うものとなっている。支持ワイヤー３５ａ，３５ｂ，３５ｃの一端は、支持基板３０の左側に、支持ワイヤー３５ｄ，３５ｅ，３５ｆの一端は、それぞれ支持基板３０の右側に貫通固定されている。一方、支持ワイヤー３５ａ，３５ｂ，３５ｃの他端は、可動部１２の左側面に、支持ワイヤー３５ｄ，３５ｅ，３５ｆの他端は、可動部１２の右側面に、それぞれ固定されている。各支持ワイヤー３５ａ，３５ｂ，３５ｃ，３５ｄ，３５ｅ，３５ｆは、たわみ可能とされているため、可動部１２は、支持基板３０に対して固定した位置となるのではなく、可動できるものとなる。
【００３５】
前述したように、支持ワイヤー３５ａ，３５ｂ，３５ｃの他端は、それぞれ可動部１２の左側面に接続されている。すなわち、当該支持ワイヤー３５ａ，３５ｂ，３５ｃの他端は、図２（ａ）に示すように、接続基板２６ａの平面部２６ｃに設けられた平面固定部２８ａ，２８ｂ，２８ｃに、それぞれ導電性融着材３２により導電可能に接続されている。このように構成されているため、それぞれの接続部における導電性融着材３２は、図１における左方向に突出することとなる。なお、本実施の形態では、導電性融着材３２として半田が用いられている。
【００３６】
また、平面固定部２８ａ，２８ｂ，２８ｃは、ランド２９ａ，２９ｂ，２９ｃを介してそれぞれ側面端子２７ａ，２７ｂ，２７ｃと導電可能となっている。また、側面端子２７ａ，２７ｂ，２７ｃには、フォーカスコイル２１ａの端末線２１ｃ、トラッキングコイル２３ａの端末線２３ｅ、チルトコイル２２ａの端末線２２ｃが、それぞれ支持ワイヤー３５ａ，３５ｂ，３５ｃの長手方向に対して直交（ワイヤー３５ａ，３５ｂ，３５ｃの長手方向に対してやや斜めとなる場合も直交に含める。）するように導電可能に接続されている。以上のようにして、支持ワイヤー３５ａ，３５ｂ，３５ｃは、それぞれフォーカスコイル２１ａの端末線２１ｃ、チルトコイル２２ａの端末線２２ｃ、トラッキングコイル２３ａの端末線２３ｅと電気的に接続されている。また、支持ワイヤー３５ｄ，３５ｅ，３５ｆも支持ワイヤー３５ａ，３５ｂ，３５ｃと同様に、フォーカスコイル２１ｂの端末線２１ｄ、チルトコイル２２ｂの端末線２２ｄ、トラッキングコイル２３ｄの端末線２３ｆにそれぞれ電気的に接続されている。
【００３７】
本実施の形態では、不図示の永久磁石が、Ｚ−Ｚ軸方向に、各トラッキングコイル２３ａ，２３ｂ，２３ｃ，２３ｄに対向するように配置されている。また、Ｚ−Ｚ軸方向に対して垂直となる方向にも、不図示の永久磁石が、可動部１２の左側部をはさみ、また右側部を挟んで対向するように配置されている。これらの永久磁石からの磁束と、フォーカスコイル２１ａ，２１ｂ、チルトコイル２２ａ，２２ｂおよびトラッキングコイル２３ａ，２３ｂ，２３ｃ，２３ｄに印加される駆動電流が作用して、可動部１２が、フォーカス方向、チルト方向およびトラッキング方向に駆動されることとなる。
【００３８】
以上のように構成された光ピックアップ装置１０では、図１、図２および図４に示すようにコイルの端末線２１ｃ，２２ｃ，２３ｅおよびコイルの端末線２１ｄ，２２ｄ，２３ｆを接続基板２６ａ，２６ｂの側面側で接続することができるため、この接続のための導電性融着材３１が、接続基板２６ａ，２６ｂから突出しなくなる。このため、支持ワイヤー３５ａ，３５ｂ，３５ｃ，３５ｄ，３５ｅ，３５ｆが各コイルの端末線２１ｃ，２１ｄ，２２ｃ，２２ｄ，２３ｅ，２３ｆ用の導電性融着材３１と接触する危険が減少し、支持ワイヤー３５ａ，３５ｂ，３５ｃ，３５ｄ，３５ｅ，３５ｆを接続基板２６ａ，２６ｂに近づけることができる。よって、光ピックアップ装置１０の横方向の寸法を小さくすることが可能となる。また、従来と同様な横方向寸法とした場合は、支持ワイヤー３５ａ，３５ｂ，３５ｃ，３５ｄ，３５ｅ，３５ｆと、接続基板２６ａ，２６ｂとの間のスペースを大きくでき、このスペースの発生により光ピックアップ装置１０の設計上の自由度が向上する。また、導電性融着材３２を多量に使用してスペースをかせぐ従来の構造に比べ導電性融着材３２が減少し、光ピックアップ装置１０が軽量化され、光ピックアップ装置１０の感度が向上することとなる。さらに、コイルの端末線２１ｃ，２２ｃ，２３ｅおよびコイルの端末線２１ｄ，２２ｄ，２３ｆは、接続基板２６ａ，２６ｂの側面で接続されているため、大きく曲がる部分がなくなり断線しづらいものとなる。
【００３９】
また、コイルの端末線２１ｃ，２２ｃ，２３ｅおよびコイルの端末線２１ｄ，２２ｄ，２３ｆは、接続基板２６ａ，２６ｂの側面部２６ｄ，２６ｅで接続されることとなり、コイルの端末線の接続に用いられる導電性融着材３１が接続基板２６ａ，２６ｂの平面部２６ｃ，２６ｃに存在しなくなる。よって、当該導電性融着材３１が支持ワイヤー３５ａ，３５ｂ，３５ｃ，３５ｄ，３５ｅ，３５ｆと接触する危険性が大幅に減少する。それにより、接触による動作不良の発生が減少すると共に各コイルの端末線２１ｃ，２２ｃ，２３ｅ，２１ｄ，２２ｄ，２３ｆと、支持ワイヤー３５ａ，３５ｃ，３５ｂ，３５ｄ，３５ｆ，３５ｅとがショートする危険性が減少する。また、側面端子２７ａ，２７ｃ，２７ｂには、凹部が設けられているため、導電性融着材３１が他の部位に流れていくことを防止できるとともに、コイルの端末線２１ｃ，２１ｄ，２２ｃ，２２ｄ，２３ｅ，２３ｆの位置保持が容易となり固定作業が簡単化される。
【００４０】
また、光ピックアップ装置１０では、側面端子２７ａ，２７ｂ，２７ｃは、半円形といった単純な形状をしている。したがって、側面端子２７ａ，２７ｂ，２７ｃを容易に加工できることとなる。例えば、基板に断面円形の貫通孔（スルーホール）を開け、その貫通孔内周面に導電性部材を付着させ、その後、貫通孔を横切るように基板を切断して接続基板２６ａ，２６ｂを形成することができる。また、半円形の形状としているので、コイルの端末線２１ｃ，２２ｃ，２３ｅおよびコイルの端末線２１ｄ，２２ｄ，２３ｆを接続基板２６ａ，２６ｂに対して接着しやすくなる。
【００４１】
また、光ピックアップ装置１０では、側面端子２７ａ，２７ｂ，２７ｃを、接続基板２６ａ，２６ｂの対向する側面に分離してすなわち、一方の側面に２つの側面端子２７ａ，２７ｃ、他方の側面に１つの側面端子２７ｂとなるように設けている。したがって、コイルの端末線２１ｃ，２２ｃ，２３ｅおよびコイルの端末線２１ｄ，２２ｄ，２３ｆが、それぞれの接続基板２６ａ，２６ｂの側面に分離して接続されるため、コイルの端末線２１ｃ，２２ｃ，２３ｅ，およびコイルの端末線２１ｄ，２２ｄ，２３ｆ同士が接触する危険性が減少する。また、コイルの端末線２１ｃ，２２ｃ，２３ｅおよびコイルの端末線２１ｄ，２２ｄ，２３ｆの接続を分散させることで、接続基板２６ａ，２６ｂを有効に活用することができ、接続基板２６ａ，２６ｂの小型化が可能となる。
【００４２】
また、光ピックアップ装置１０では、各コイルの端末線２１ｃ，２２ｃ，２３ｅ，２１ｄ，２２ｄ，２３ｆが、支持ワイヤー３５ａ，３５ｃ，３５ｂ，３５ｄ，３５ｆ，３５ｅの長手方向に対して直交する方向に配置されると共に、側面端子２７ａ，２７ｂ，２７ｃに注入される導電性融着材３１が、側面端子２７ａ，２７ｂ，２７ｃの凹部から突出しないようにされている。したがって、コイルの端末線２１ｃ，２２ｃ，２３ｅ，２１ｄ，２２ｄ，２３ｆが接続基板２６ａ，２６ｂの側面端子２７ａ，２７ｂ，２７ｃと広面積、すなわち図３で示す幅Ｗの長さ部分で接触することが可能となり強固に固定することができる。また、導電性融着材３１が側面端子２７ａ，２７ｂ，２７ｃから平面部２６側へ突出しないようにされているため、支持ワイヤー３５ａ，３５ｂ，３５ｃ，３５ｄ，３５ｅ，３５ｆとの接触の危険性が減少すると共に、光ピックアップ装置１０の横方向の寸法を小さくすることができる。
【００４３】
また、光ピックアップ装置１０では、接続基板２６ａ，２６ｂにおける、側面端子２７ａ，２７ｂ，２７ｃの内周全面にパッドが形成されている。そのため、コイルの端末線２１ｃ，２２ｃ，２３ｅ，２１ｄ，２２ｄ，２３ｆと側面端子２７ａ，２７ｂ，２７ｃとの接触面積が大きくなり、コイルの端末線２１ｃ，２２ｃ，２３ｅ，２１ｄ，２２ｄ，２３ｆを接続基板２６ａ，２６ｂに対して確実に導電可能に接続できる。すなわち、側面端子２７ａ，２７ｂ，２７ｃには軸方向長さに相当する幅Ｗが存在するため、その全領域が導電可能な接続領域となり確実な導電接続が可能となる。
【００４４】
次に、本発明の第２の実施の形態に係る光ピックアップ装置４０について図５から図８に基づいて説明する。図５は、光ピックアップ装置４０の構成を示す斜視図であり、図６は図５の光ピックアップ装置４０の側面を示す図であり、（ａ）はその左側面図であり、（ｂ）は、その右側面図である。また、図７は、光ピックアップ装置４０に使用される接続基板４２の斜視図であり、図８は、図５において矢示Ｂで示す部分の拡大図である。また、第１の実施の形態と同一の部材、同一の部分には同一の符号を付すと共にその説明を省略または簡略化する。なお、第２の実施の形態では、第１の実施の形態と同様な構成となっているため、主として第１の実施の形態との相違部分について述べることとする。また、図５において一端側とは、左斜め上方を指し、他端側とは右斜め下方を指す。また、以下の説明において、図５における左斜め下方を左側、右斜め上方を右側という。なお、図５および図８は、導電性融着材３１，３２が注入されていない場合を示す。
【００４５】
光ピックアップ装置４０は、第１の実施の形態の場合と同様に、図５および図６に示すように、可動部１２と、支持基板３０と、支持基板３０に対して可動部１２が移動可能となるように支持する６本の支持ワイヤー３５ａ，３５ｂ，３５ｃ，３５ｄ，３５ｅ，３５ｆとから主に構成されている。また、可動部１２は、ホルダ１４を有しており、当該ホルダ１４の中央には対物レンズ１９が設けられている。また、ホルダ１４には、第１の実施の形態の場合と同様に、２つのフォーカスコイル２１ａ，２１ｂ、２つのチルトコイル２２ａ，２２ｂおよび４つのトラッキングコイル２３ａ，２３ｂ，２３ｃ，２３ｄが配置されている。
【００４６】
ホルダ１４の左右両側には、第１の実施の形態の接続基板２６ａ，２６ｂに相当する接続基板４２ａ，４２ｂが取り付けられている。接続基板４２ａは、図７に示すように平面が長方形となる基板の一対の頂部が斜めに切り欠かれた形状となっている。また、その切り欠かれた部分の全面にはパッドが形成されており、当該部分は斜面端子４４ａ，４４ｂを形成している。斜面端子４４ａ，４４ｂの間の側面には半円状に切り欠かれた形状となっている側面端子４５が設けられている。側面端子４５の内周全面にもパッドが形成されている。
【００４７】
また、接続基板４２ａの平面部４２ｃには３つの平面固定部４７ａ，４７ｂ，４７ｃが側面部４２ｄから４２ｅにかけて並んで設けられており、斜面端子４４ａと平面固定部４７ａ、側面端子４５と平面固定部４７ｂおよび斜面端子４４ｂと平面固定部４７ｃは、それぞれランド４８ａ，４８ｂ，４８ｃにより導電可能に接続されている。なお、接続基板４２ａは、第１の実施の形態の場合と同様、ホルダ１４の左側の側面（以下、左側面という。）には、図７に示す接続基板４２ａが上下方向そのままの状態で取り付けられ（図６（ａ）参照）、ホルダ１４の右側の側面（以下、右側面という。）には、図７に示す接続基板４２ａを上下逆にした状態で取り付けられ接続基板４２ｂとされている（図６（ｂ）参照）。
【００４８】
光ピックアップ装置４０では、フォーカスコイル２１ａの端末線２１ｃは、ホルダ１４の左側面に取り付けられた接続基板４２ａの斜面端子４４ａに導電性融着材３１によって導電可能に接続されており、チルトコイル２２ａの端末線２２ｃは、接続基板４２ａの側面端子４５に導電性融着材３１によって導電可能に接続されている。また、トラッキングコイル２３ａの端末線２３ｅは、接続基板４２ａの斜面端子４４ｂに導電性融着材３１によって導電可能に接続されている。本実施の形態においても、第１の実施の形態の場合と同様、導電性融着材３１として半田が用いられている。
【００４９】
また、フォーカスコイル２１ｂの端末線２１ｄ、チルトコイル２２ｂの端末線２２ｄおよびトラッキングコイル２３ｄの端末線２３ｆも、接続基板４２ａへの接続の場合と同様に、ホルダ１４の右側面に取り付けられた接続基板４２ｂに接続されている。コイルの端末線２１ｃ，２２ｃ，２３ｅおよびコイルの端末線２１ｄ，２２ｄ，２３ｆは、接続基板４２ａ，４２ｂの側面に設けられた、斜面端子４４ａ、側面端子４５、斜面端子４４ｂおよび斜面端子４４ｂ、側面端子４５、斜面端子４４ａに、それぞれ接続されているので、接続基板４２ａ，４２ｂの平面部４２ｃ，４２ｃに導電性融着材３１が延在することはなくなる。
【００５０】
本実施の形態においても、第１の実施の形態の場合と同様、可動部１２は、導電性を有する６本の支持ワイヤー３５ａ，３５ｂ，３５ｃ，３５ｄ，３５ｅ，３５ｆによって、支持されており、その一端は、支持基板３０に固定され、その他端は、図６に示すように、それぞれ接続基板４２ａ，４２ｂの基板上に設けられた平面固定部４７ａ，４７ｂ，４７ｃ，４７ｃ，４７ｂ，４７ａに、導電性融着材３２により導電可能に接続されている。また、本実施の形態においても、導電性融着材３２として半田が用いられている。ここで、支持ワイヤー３５ａ，３５ｂ，３５ｃ，３５ｄ，３５ｅ，３５ｆの他端は、それぞれ接続基板４２ａ，４２ｂの平面部４２ｃ，４２ｃに導電性融着材３２により接着されているので、それぞれの接続部における導電性融着材３２は、図５における左右の側面方向に突出することとなる。
【００５１】
また、本実施の形態においても、第１の実施の形態と同様に、各コイルの端末線２１ｃ，２２ｃ，２３ｅ，２１ｄ，２２ｄ，２３ｆは、接続基板４２ａ，４２ｂを介して支持ワイヤー３５ａ，３５ｂ，３５ｃ，３５ｄ，３５ｅ，３５ｆにそれぞれ電気的に接続されている。また、不図示の永久磁石を、第１の実施の形態の場合と同様に配置することにより、可動部１２を、フォーカス方向、チルト方向およびトラッキング方向に駆動させている。
【００５２】
以上のように構成された光ピックアップ装置４０では、コイルの端末線２１ｃ，２２ｃ，２３ｅおよびコイルの端末線２１ｄ，２２ｄ，２３ｆを接続基板４２ａ，４２ｂの一方の側面のみで接続しているため、支持ワイヤー３５ａ，３５ｂ，３５ｃ，３５ｄ，３５ｅ，３５ｆが存在する側には導電性融着在３１が全く存在しなくなる。このため、当該導電性融着材３１が支持ワイヤー３５ａ，３５ｂ，３５ｃ，３５ｄ，３５ｅ，３５ｆと接触することがなくなる。そのため、支持ワイヤー３５ａ，３５ｂ，３５ｃ，３５ｄ，３５ｅ，３５ｆを接続基板４２ａ，４２ｂに近づけることができるため、光ピックアップ装置４０の横方向の寸法を小さくすることが可能となる。また、支持ワイヤー３５ａ，３５ｂ，３５ｃ，３５ｄ，３５ｅ，３５ｆ以外の他の部材を基板４２ａ，４２ｂに近づけることができるため、装置全体として横方向を縮めることができる。
【００５３】
また、突出部分がなくなることによりスペースが発生し、光ピックアップ装置４０の設計上の自由度が向上する。また、導電性融着材３２の減量化に伴い、当該光ピックアップ装置４０が軽量化され、光ピックアップ装置４０の感度が向上することとなる。さらに、コイルの端末線２１ｃ，２２ｃ，２３ｅおよびコイルの端末線２１ｄ，２２ｄ，２３ｆは、接続基板４２ａ，４２ｂの側面で接続されているため大きく曲がる部分がなくなり断線しづらいものとなる。
【００５４】
また、光ピックアップ装置４０では、接続基板４２には、斜面端子４４ａ，４４ｂと、側面端子４５が設けられており、斜面端子４４ａ，４４ｂおよび側面端子４５は、長方形の一対の頂部が斜めに切り欠かれた形状および半円形といった単純な形状をしている。したがって、斜面端子４４ａ，４４ｂおよび側面端子４５を容易に加工できることとなる。さらにはコイルの端末線２１ｃ，２２ｃ，２３ｅおよびコイルの端末線２１ｄ，２２ｄ，２３ｆを、斜面端子４４ａ，４４ｂおよび側面端子４５に沿わせて配置し、その後、導電性融着材３１により接続基板４２ａ，４２ｂに接着するという簡単な作業で接着が可能となる。
【００５５】
また、光ピックアップ装置４０では、接続基板４２ａ，４２ｂにおける、斜面端子４４ａ，４４ｂおよび側面端子４５の内周全面にパッドが形成されている。そのため、コイルの端末線２１ｃ，２２ｃ，２３ｅおよびコイルの端末線２１ｄ，２２ｄ，２３ｆと端子４４ａ，４５，４４ｂおよび端子４４ｂ，４５，４４ａとの接触面積が大きくなり、コイルの端末線２１ｃ，２２ｃ，２３ｅおよびコイルの端末線２１ｄ，２２ｄ，２３ｆを接続基板４２ａ，４２ｂに対して確実に導電可能に接続できる。
【００５６】
次に、本発明の第３の実施の形態に係る光ピックアップ装置６０について図９から図１２に基づいて説明する。図９は、光ピックアップ装置６０の構成を示す斜視図であり、図１０は図９の光ピックアップ装置６０の側面を示す図であり、（ａ）はその左側面図であり、（ｂ）は、その右側面図である。また、図１１は、光ピックアップ装置６０に使用される接続基板６２の斜視図であり、図１２は、図９において矢示Ｃで示す部分の拡大図である。また、第１の実施の形態と同一の部材、同一の部分には同一の符号を付すと共にその説明を省略または簡略化する。なお、第３の実施の形態では、第１の実施の形態と同様な構成となっているため、主に第１の実施の形態との相違部分について述べることとする。また、図９において一端側とは、左斜め上方を指し、他端側とは右斜め下方を指す。また、以下の説明において、図９における左斜め下方を左側、右斜め上方を右側という。なお、図９および図１２は、導電性融着材３１，３２が注入されていない場合を示す。
【００５７】
光ピックアップ装置６０は、第１の実施の形態の場合と同様に、図９および図１０に示すように、可動部１２と、支持基板３０と、支持基板３０に対して可動部１２が移動可能となるように支持する６本の支持ワイヤー３５ａ，３５ｂ，３５ｃ，３５ｄ，３５ｅ，３５ｆとから主に構成されている。また、可動部１２は、ホルダ１４を有しており、当該ホルダ１４の中央には対物レンズ１９が設けられている。また、ホルダ１４には、第１の実施の形態の場合と同様に、２つのフォーカスコイル２１ａ，２１ｂ、２つのチルトコイル２２ａ，２２ｂおよび４つのトラッキングコイル２３ａ，２３ｂ，２３ｃ，２３ｄが配置されている。
【００５８】
ホルダ１４の左右両側には、第１の実施の形態と同様、接続基板６２ａ，６２ｂが取り付けられている。接続基板６２ａは、図１１に示すように長方形の基板における一対の頂部がＬ字状に切り欠かれた形状となっている。また、その切り欠かれた部分の全面にはパッドが形成されており、Ｌ字端子６４ａ，６４ｂを形成している。Ｌ字端子６４ａ，６４ｂの間の側面にはコ字状に切り欠かれたコ字端子６５が設けられている。また、接続基板６２ａの平面部６２ｃには３つの側面固定部６７ａ，６７ｂ，６７ｃが側面部６２ｄから側面部６２ｅにかけて並べて設けられており、Ｌ字端子６４ａと平面固定部６７ａ、コ字端子６５と平面固定部６７ｂおよびＬ字端子６４ｂと平面固定部６７ｃは、それぞれランド６８ａ，６８ｂ，６８ｃにより導電可能に接続されている。なお、接続基板６２ａは、第１の実施の形態の場合と同様、ホルダ１４の左側の側面（以下、左側面という。）には、図１１に示す接続基板６２ａが上下方向そのままの状態で取り付けられ（図１０（ａ）参照）、ホルダ１４の右側の側面（以下、右側面という。）には、図１１に示す接続基板６２ａを上下逆にした状態で取り付けられることで接続基板６２ｂとされている（図１０（ｂ）参照）。
【００５９】
光ピックアップ装置６０では、フォーカスコイル２１ａの端末線２１ｃは、ホルダ１４の左側面に取り付けられた接続基板６２ａのＬ字端子６４ａに導電性融着材３１によって導電可能に接続されており、チルトコイル２２ａの端末線２２ｃは、接続基板６２ａのコ字端子６５に導電性融着材３１によって導電可能に接続されている。また、トラッキングコイル２３ａの端末線２３ｅは、接続基板６２ａのＬ字端子６４ｂに導電性融着材３１によって導電可能に接続されている。本実施の形態においても、第１の実施の形態の場合と同様、導電性融着材３１として半田が用いられている。
【００６０】
また、フォーカスコイル２１ｂの端末線２１ｄ、チルトコイル２２ｂの端末線２２ｄおよびトラッキングコイル２３ｄの端末線２３ｆも、接続基板６２ａへの接続の場合と同様に、ホルダ１４の右側面に取り付けられた接続基板６２ｂに接続されている。本実施の形態においても、コイルの端末線２１ｃ，２２ｃ，２３ｅおよびコイルの端末線２１ｄ，２２ｄ，２３ｆは、接続基板６２ａ，６２ｂの側面に設けられた、Ｌ字端子６４ａ、コ字端子６５、Ｌ字端子６４ｂおよびＬ字端子６４ｂ、コ字端子６５、Ｌ字端子６４ａに、それぞれ接続されているので、接続基板６２ａ，６２ｂの平面部６２ｃ，６２ｃに導電性融着材３１が延在することはなくなる。
【００６１】
本実施の形態においても、第１の実施の形態の場合と同様、可動部１２は、導電性を有する６本の支持ワイヤー３５ａ，３５ｂ，３５ｃ，３５ｄ，３５ｅ，３５ｆによって、支持されており、その一端は、支持基板３０に固定され、その他端は、図１０に示すように、それぞれ接続基板６２ａ，６２ｂの平面部６３ｃ，６３ｃに設けられた平面固定部６７ａ，６７ｂ，６７ｃ，６７ｃ，６７ｂ，６７ａに、導電性融着材３２により導電可能に接続されている。また、本実施の形態においても、導電性融着材３２として半田が用いられている。ここで、支持ワイヤー３５ａ，３５ｂ，３５ｃ，３５ｄ，３５ｅ，３５ｆの他端は、それぞれ接続基板６２ａ，６２ｂの平面部６２ｃ，６２ｃに導電性融着材３２により接着されているので、それぞれの接続部における導電性融着材３２は、図９における左右の側面方向に突出することとなる。
【００６２】
また、本実施の形態においても、第１の実施の形態と同様に、各コイルの端末線２１ｃ，２２ａ，２３ｅ，２１ｄ，２２ｂ，２３ｆは、接続基板６２ａ，６２ｂを介して支持ワイヤー３５ａ，３５ｂ，３５ｃ，３５ｄ，３５ｅ，３５ｆにそれぞれ電気的に接続されている。また、不図示の永久磁石を、第１の実施の形態の場合と同様に配置することにより、可動部１２を、フォーカス方向、チルト方向およびトラッキング方向に駆動させている。
【００６３】
以上のように構成された光ピックアップ装置６０では、コイルの端末線２１ｃ，２２ｃ，２３ｅおよびコイルの端末線２１ｄ，２２ｄ，２３ｆを接続基板６２ａ，６２ｂの一方の側面で接続しているため、支持ワイヤー３５ａ，３５ｂ，３５ｃ，３５ｄ，３５ｅ，３５ｆが存在する側には導電性融着在３１が全く存在しなくなる。このため、当該導電性融着材３１が支持ワイヤー３５ａ，３５ｂ，３５ｃ，３５ｄ，３５ｅ，３５ｆと接触することがなくなる。そのため、支持ワイヤー３５ａ，３５ｂ，３５ｃ，３５ｄ，３５ｅ，３５ｆを接続基板６２ａ，６２ｂに近づけることができるため、光ピックアップ装置６０の横方向の寸法を小さくすることが可能となる。また、支持ワイヤー３５ａ，３５ｂ，３５ｃ，３５ｄ，３５ｅ，３５ｆ以外の他の部材を基板６２ａ，６２ｂに近づけることができるため、装置全体として横方向を縮めることができる。
【００６４】
また、突出部分がなくなることにより、スペースが発生し、光ピックアップ装置６０の設計上の自由度が向上する。また、導電性融着材３２の減量化に伴い、当該光ピックアップ装置６０が軽量化され、光ピックアップ装置６０の感度が向上することとなる。さらに、コイルの端末線２１ｃ，２２ｃ，２３ｅおよびコイルの端末線２１ｄ，２２ｄ，２３ｆは、接続基板６２ａ，６２ｂの側面で接続されているため大きく曲がる部分がなくなり断線しづらいものとなる。
【００６５】
また、光ピックアップ装置６０では、接続基板６２には、Ｌ字端子６４ａ，６４ｂと、コ字端子６５が設けられており、Ｌ字端子６４ａ，６４ｂおよびコ字端子６５は、長方形の一対の頂部がＬ字型およびコ字型に切り欠かれた形状といった単純な形状をしている。したがって、Ｌ字端子６４ａ，６４ｂおよびコ字端子６５を容易に加工できることとなる。さらにはコイルの端末線２１ｃ，２２ｃ，２３ｅおよびコイルの端末線２１ｄ，２２ｄ，２３ｆを、Ｌ字端子６４ａ，６４ｂおよびコ字端子６５に沿わせて配置し、その後、導電性融着材３１により接続基板６２ａ，６２ｂに接着するという簡単な作業で接着が可能となる。
【００６６】
また、光ピックアップ装置６０では、接続基板６２ａ，６２ｂにおける、Ｌ字端子６４ａ，６４ｂおよびコ字端子６５の全面にパッドが形成されている。そのため、コイルの端末線２１ｃ，２２ｃ，２３ｅおよびコイルの端末線２１ｄ，２２ｄ，２３ｆと端子６４ａ，６５，６４ｂおよび端子６４ｂ，６５，６４ａとの接触面積が大きくなり、コイルの端末線２１ｃ，２２ｃ，２３ｄおよびコイルの端末線２１ｄ，２２ｄ，２３ｆを接続基板６２ａ、６２ｂに対して確実に導電可能に接続できる。
【００６７】
次に、本発明の第４の実施の形態に係る光ピックアップ装置８０について図１３から図１５に基づいて説明する。図１３は、光ピックアップ装置８０の構成を示す斜視図であり、図１４は図１３の光ピックアップ装置８０の側面を示す図であり、（ａ）はその左側面図であり、（ｂ）は、その右側面図である。また、図１５は、光ピックアップ装置８０に使用される接続基板８２の斜視図である。また、第１の実施の形態と同一の部材、同一の部分には同一の符号を付すと共にその説明を省略または簡略化する。なお、第４の実施の形態では、第１の実施の形態と同様な構成となっているため、主に第１の実施の形態との相違部分について述べることとする。また、図１３において一端側とは、左斜め上方を指し、他端側とは右斜め下方を指す。また、以下の説明において、図１３における左斜め下方を左側、右斜め上方を右側という。なお、図１３は、導電性融着材３１，３２が注入されていない場合を示す。
【００６８】
光ピクアップ装置８０は、第１の実施の形態の場合と同様に、図１３および図１４に示すように、可動部１２と、支持基板３０と、支持基板３０に対して可動部１２が移動可能となるように支持する６本の支持ワイヤー３５ａ，３５ｂ，３５ｃ，３５ｄ，３５ｅ，３５ｆとから主に構成されている。また、可動部１２は、ホルダ１４を有しており、当該ホルダ１４の中央には対物レンズ１９が設けられている。また、ホルダ１４には、第１の実施の形態の場合と同様に、２つのフォーカスコイル２１ａ，２２ｂ、２つのチルトコイル２２ａ，２２ｂおよび４つのトラッキングコイル２３ａ，２３ｂ，２３ｃ，２３ｄが配置されている。
【００６９】
ホルダ１４の左右両側には、第１の実施の形態の場合と同様、接続基板８２ａ，８２ｂが取り付けられている。接続基板８２ａ，８２ｂは、図１５に示すような長方形の基板となっており、その平面部８２ｃの一端側には、支持ワイヤー３５ａ，３５ｂ，３５ｃまたは支持ワイヤー３５ｄ，３５ｅ，３５ｆが係合されるための支持部材の端末用凹部８４ａ，８４ｂ，８４ｃが側面部８２ｄから側面部８２ｅに向かって順に設けられている。支持部材の端末用凹部８４ａ，８４ｂ，８４ｃは、図１５において、それぞれ接続基板８２ａ，８２ｂの平面部８２ｃの一端側に設けられ、その断面がコ字状となるように切り欠かれた形状をしている。また、接続基板８２ａ，８２ｂの他端側の側面には半円状に切り欠かれた形状となっている３つの側面端子８５ａ，８５ｂ，８５ｃが、側面部８２ｄから側面部８２ｅに向かって順に設けられている。
【００７０】
そして、支持部材の端末用凹部８４ａと側面端子８５ａ、支持部材の端末用凹部８４ｂと側面端子８５ｂおよび支持部材の端末用凹部８４ｃと側面端子８５ｃは、それぞれランド８７ａ，８７ｂ，８７ｃにより導電可能に接続されている。また、支持部材の端末用凹部８４ａ，８４ｂ，８４ｃおよび側面端子８５ａ，８５ｂ，８５ｃの全面にはパッドが形成されており、各支持部材の端末用凹部８４ａ，８４ｂ，８４ｃおよび各側面端子８５ａ，８５ｂ，８５ｃは、導電可能な端子となっている。
【００７１】
なお、接続基板８２ａは、第１の実施の形態の場合と同様、ホルダ１４の左側の側面（以下、左側面という。）には、図１５に示す接続基板８２ａが上下方向そのままの状態で取り付けられ（図１４（ａ）参照）、ホルダ１４の右側の側面（以下、右側面という。）には、図１５に示す接続基板８２ａを上下逆にした状態で取り付けられ、接続基板８２ｂとされている（図１４（ｂ）参照）。
【００７２】
光ピックアップ装置８０では、フォーカスコイル２１ａの端末線２１ｃ、チルトコイル２２ａの端末線２２ｃおよびトラッキングコイル２３ａの端末線２３ｅは、ホルダ１４の左側面に取り付けられた接続基板８２ａの側面端子８５ａ，８５ｂ，８５ｃに、それぞれ導電性融着材３１によって導電可能に接続されている。本実施の形態においても、第１の実施の形態の場合と同様、導電性融着材３１として半田が用いられている。また、フォーカスコイル２１ｂの端末線２１ｄ、チルトコイル２２ｂの端末線２２ｄおよびトラッキングコイル２３ｄの端末線２３ｆも接続基板８２ａへの接続の場合と同様に、ホルダ１４の右側面に取り付けられた接続基板８２ｂに接続されている。
【００７３】
本実施の形態においても、第１の実施の形態の場合と同様、可動部１２は、導電性を有する６本の支持ワイヤー３５ａ，３５ｂ，３５ｃ，３５ｄ，３５ｅ，３５ｆによって、支持されており、その一端は、支持基板３０に固定され、その他端は、図１４に示すように、それぞれ接続基板８２ａ，８２ｂの側面部８３ｃ，８３ｃに設けられた支持部材の端末用凹部８４ａ，８４ｂ，８４ｃおよび支持部材の端末用凹部８４ｃ，８４ｂ，８４ａにそれぞれ導電性融着材３２により導電可能に接続されている。また、本実施の形態においても、導電性融着材３２として半田が用いられている。なお、本実施の形態では、コイルの端末線２１ｃ，２２ｃ，２３ｅおよびコイルの端末線２１ｄ，２２ｄ，２３ｆは、接続基板８２ａ，８２ｂの側面に設けられた側面端子８５ａ，８５ｂ，８５ｃおよび側面端子８５ｃ，８５ｂ，８５ａにそれぞれ接続基板８２ａ，８２ｂの側面において接続されると共に、支持ワイヤー３５ａ，３５ｂ，３５ｃおよび支持ワイヤー３５ｄ，３５ｅ，３５ｆも支持部材の端末用凹部８４ａ，８４ｂ，８４ｃおよび支持部材の端末用凹部８４ｃ，８４ｂ，８４ａとなる凹部分にそれぞれ係合する形で接続されている。したがって、導電性融着材３１，３２が、接続基板８２ａ，８２ｂの平面部８２ｃ，８２ｃから突出して存在することはなくなる。
【００７４】
また、本実施の形態においても、第１の実施の形態と同様に、コイルの端末線２１ｃ，２２ｃ，２３ｅ，２１ｄ，２２ｄ，２３ｆは、接続基板８２ａ，８２ｂを介して支持ワイヤー３５ａ，３５ｂ，３５ｃ，３５ｄ，３５ｅ，３５ｆにそれぞれ電気的に接続されている。また、不図示の永久磁石を、第１の実施の形態の場合と同様に配置することにより、可動部１２を、フォーカス方向、チルト方向およびトラッキング方向に駆動させている。
【００７５】
以上のように構成された光ピックアップ装置８０では、コイルの端末線２１ｃ，２２ｃ，２３ｅおよびコイルの端末線２１ｄ，２２ｄ，２３ｆを接続基板８２ａ，８２ｂの側面で接続していると共に、支持ワイヤー３５ａ，３５ｂ，３５ｃおよび支持ワイヤー３５ｄ，３５ｅ，３５ｆを支持部材の端末用凹部８４ａ，８４ｂ，８４ｃおよび支持部材の端末用凹部８４ｃ，８４ｂ，８４ａとなる凹部分にてそれぞれ係合させる形で接続している。そのため、導電性融着材３１，３２が共に接続基板８２ａ，８２ｂの平面部８２ｃ，８２ｃから突出して存在することがなくなり、導電性融着材３１が支持ワイヤー３５ａ，３５ｂ，３５ｃ，３５ｄ，３５ｅ，３５ｆ等と接触することを確実に防止できる。
【００７６】
また、接続基板８２ａ，８２ｂの平面部８２ｃ，８２ｃの近傍にはスペースができ、他の部材を接続基板８２ａ，８２ｂに近づけることができるため、光ピックアップ装置８０の横方向の寸法を小さくすることが可能となる。また、このスペースの発生により、光ピックアップ装置８０の設計上の自由度が向上する。また、導電性融着材３２の減量化が可能となり、光ピックアップ装置８０が軽量化され、光ピックアップ装置８０の感度が向上することとなる。さらに、コイルの端末線２１ｃ，２２ｃ，２３ｅおよびコイルの端末線２１ｄ，２２ｄ，２３ｆは、接続基板８２ａ，８２ｂの側面で接続されているため大きく曲がる部分がなくなり断線しづらいものとなる。
【００７７】
また、光ピックアップ装置８０では、接続基板８２ａ，８２ｂにおける、側面端子８５ａ，８５ｂ，８５ｃの内周全面にパッドが形成されている。そのため、コイルの端末線２１ｃ，２２ｃ，２３ｅおよびコイルの端末線２１ｄ，２２ｄ，２３ｆと端子８５ａ，８５ｂ，８５ｃおよび端子８５ｃ，８５ｂ，８５ａとの接触面積が大きくなり、コイルの端末線２１ｃ，２２ｃ，２３ｅおよびコイルの端末線２１ｄ，２２ｄ，２３ｆを接続基板８２ａ、８２ｂに対して確実に導電可能に接続できる。
【００７８】
以上、本発明の各実施の形態について説明したが、本発明はこれ以外にも種々変形可能となっている。以下、それについて述べる。
【００７９】
上述の各実施の形態では、ホルダ１４には、フォーカスコイル２１ａ，２１ｂ、チルトコイル２２ａ，２２ｂおよびトラッキングコイル２３ａ，２３ｂ，２３ｃ，２３ｄの合計８つのコイルが配置されているが、チルト用のコイルを省略したり、フォーカス用のコイルを１つとしたりしても良い。すなわち、コイルを８つに限ることなく７つ以下としても良いし、９つ以上としても良い。また、フォーカスコイル、チルトコイル、トラッキングコイルは、巻線による形成でも、コイルパターンをフィルムに形成するフィルムコイルによるものでも良い。
【００８０】
また、上述の各実施の形態では、合計６本の支持ワイヤー３５ａ，３５ｂ，３５ｃ，３５ｄ，３５ｅ，３５ｆによって可動部１２を支持しているが、これに限ることなく、ホルダ１４に配置されるコイルの数に対応させて、支持ワイヤーの本数を左右２本ずつの計４本としたり、左右４本ずつの計８本としても良い。また、導電用の支持ワイヤー以外に保持のみを行う支持ワイヤーを１本または複数本付加するようにしても良い。このように支持ワイヤーの本数は、５本以下としても良いし、７本以上としても良い。
【００８１】
また、上述の実施の形態では、対物レンズ１９の両側に配置された２つのフォーカスコイル２１ａ，２１ｂおよび２つのチルトコイル２２ａ，２２ｂにおいてフォーカスコイル２１ａの下方にチルトコイル２２ａを配置し、フォーカスコイル２１ｂの下方にチルトコイル２２ｂを配置するような組み合わせとしている。しかし、これに限ることなく、フォーカスコイル２１ａ，２１ｂの上方にチルトコイル２２ａ，２２ｂをそれぞれ配置させるようにしても良いし、フォーカスコイル２１ａ，２１ｂの内部にチルトコイル２２ａ，２２ｂをそれぞれ配置させるようにしても良い。また、フォーカスコイル２１ａ，２１ｂの外部にチルトコイル２２ａ，２２ｂをそれぞれ配置させるようにしても良い。
【００８２】
また、上述の各実施の形態では、図１の上方から見て時計回り方向への巻回を正巻とし、反時計回り方向の巻回を逆巻としたが、これとは反対に時計回り方向への巻回を逆巻とし、反時計回り方向の巻回を正巻とし、各コイル２１ａ，２１ｂ，２２ａ，２２ｂのそれぞれの巻き方向を、上述の各実施の形態の場合と逆にするようにしても良い。同様に各コイル２３ａ，２３ｂ，２３ｃ，２３ｄの巻き方も逆にしても良い。
【００８３】
また、上述の各実施の形態では、各側面端子は断面が半円形の形状、斜面型の形状、Ｌ字型の形状およびコ字が他の形状のいずれかとなっているが、これらに限らず、Ｖ字型、半楕円形型としても良い。また、各実施の形態では、それぞれ全ての側面端子が本発明の構成を採用しているが、１つや２つ等一部の側面端子に本発明の構成を適用するようにしても良い。
【００８４】
また、上述の各実施の形態では、側面端子２７ａ，２７ｂ，２７ｃ，４４ａ，４４ｂ，４５，６４ａ，６４ｂ，６５，８５ａ，８５ｂ，８５ｃの内周全面や端子面全面にパッドが形成されているが、全面に限らず１部分にパッドを形成するようにしても良い。また，上述の各の実施の形態では対物レンズ１９の両側に配置される接続基板がＺ−Ｚ軸を中心として左右対称とされているが、両側の接続基板を異なる形状としたり、一方のみは従来の形状としたりしても良い。
【００８５】
また、上述の第２の実施の形態では、側面端子は斜面型および半円形の側面端子４４ａ，４４ｂ，４５の混成状態から構成され、第３の実施の形態では、Ｌ字型およびコ字型の側面端子６４ａ，６４ｂ，６５の混成状態から構成されているが、これら異なる形状の混成状態に限ることなく、側面端子を、半円形、Ｖ字型、コ字型、Ｕ字型、斜面型またはＬ字型の形状のうちの１種類のみから構成するようにしても良い。また、これらの形状のいずれか２つまたは３つの混成状態構成としても良い。
【００８６】
また、上述の第４の実施の形態では、支持部材の端末用凹部８４ａ，８４ｂ，８４ｃは、接続基板８２の側面部８３ｃに設けられ、その断面がコ字状となるように設けられているが、これに限ることなく、断面を半楕円形またはＶ字型としても良い。また、支持部材の端末用凹部を、図１５における接続基板８２ａ，８２ｂの平面部に設けるようにしても良い。
【産業上の利用可能性】
【００８７】
本発明の光ピックアップ装置は、レンズ等の光学系を動作させる装置全てに適用できる。本発明の光ピックアップ装置は、ＣＤプレーヤー、ＤＶＤプレーヤー等の各種音響再生装置または映像再生装置において特に好適に利用することができる。
【図面の簡単な説明】
【００８８】
【図１】本発明の第１の実施の形態に係る光ピックアップ装置の構成を示す斜視図である。
【図２】図１の光ピックアップ装置の側面を示す図であり、（ａ）はその左側面図であり、（ｂ）は、その右側面図である。
【図３】図１の光ピックアップ装置に使用される接続基板の斜視図である。
【図４】図１の光ピックアップ装置において矢示Ａで示す部分の拡大図である。
【図５】本発明の第２の実施の形態に係る光ピックアップ装置の構成を示す斜視図である。
【図６】図５の光ピックアップ装置の側面を示す図であり、（ａ）はその左側面図であり、（ｂ）は、その右側面図である。
【図７】図５の光ピックアップ装置に使用される接続基板の斜視図である。
【図８】図５の光ピックアップ装置において矢示Ｂで示す部分の拡大図である。
【図９】本発明の第３の実施の形態に係る光ピックアップ装置の構成を示す斜視図である。
【図１０】図９の光ピックアップ装置の側面を示す図であり、（ａ）はその左側面図であり、（ｂ）は、その右側面図である。
【図１１】図９の光ピックアップ装置に使用される接続基板の斜視図である。
【図１２】図９の光ピックアップ装置において矢示Ｃで示す部分の拡大図である。
【図１３】本発明の第４の実施の形態に係る光ピックアップ装置の構成を示す斜視図である。
【図１４】図１３の光ピックアップ装置の側面を示す図であり、（ａ）はその左側面図であり、（ｂ）は、その右側面図である。
【図１５】図１３の光ピックアップ装置に使用される接続基板の斜視図である。
【図１６】従来の光ピックアップ装置の構成を示す図であり、（ａ）は、その平面図であり、（ｂ）は、その側面図である。
【符号の説明】
【００８９】
１０，４０，６０，８０…光ピックアップ装置
１２…可動部
１９…対物レンズ
２１ａ，２１ｂ…フォーカスコイル
２１ｃ，２１ｄ…フォーカスコイルの端末線
２２ａ，２２ｂ…チルトコイル
２２ｃ，２２ｄ…チルトコイルの端末線
２３ａ，２３ｂ，２３ｃ，２３ｄ…トラッキングコイル
２３ｅ，２３ｆ…トラッキングコイルの端末線
２６，４２，６２，８２…接続基板
２６ｃ，４２ｃ，６２ｃ，８２ｃ…平面部
２６ｄ〜２６ｇ，４２ｄ，４２ｅ，６２ｄ，６２ｅ，８２ｄ，８２ｄ…側面部
２７，４４，４５，６４，６５，８５…側面端子（端末用凹部）
２８，４７，６７…平面固定部
３０…支持基板
３１，３２…導電性融着材
３５ａ〜３５ｆ…支持ワイヤー（支持部材）
８４ａ，８４ｂ，８４ｃ…支持部材の端末用凹部
【図１】
2006079716.tif 000003
【図２】
2006079716.tif 000004
【図３】
2006079716.tif 000005
【図４】
2006079716.tif 000006
【図５】
2006079716.tif 000007
【図６】
2006079716.tif 000008
【図７】
2006079716.tif 000009
【図８】
2006079716.tif 000010
【図９】
2006079716.tif 000011
【図１０】
2006079716.tif 000012
【図１１】
2006079716.tif 000013
【図１２】
2006079716.tif 000014
【図１３】
2006079716.tif 000015
【図１４】
2006079716.tif 000016
【図１５】
2006079716.tif 000017
【図１６】
2006079716.tif 000018